(57)【特許請求の範囲】
【請求項１】
隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、
天井面と、該天井面にまで至る前記正面パネル体の縦端縁と、ドアパネル体の上端縁とのあいだに形成される欄間に板材を組込むにあたり、
正面パネル体とドアパネル体との互いに対向する縦端縁同士のあいだに設けられるエッジ材は、上端縁がドアパネル体の上端部位までの長さとして、欄間部位の高さにまで至るエッジ材はないものとし、
欄間は、左右両端縁部がこれらエッジ材の上端縁に対して上側から当接する下ベース材と、該欄間に隣接する部位の正面パネル体の縦端縁に配され、正面パネル体側の縦端縁がエッジ材の正面パネル体側の縦端縁に対して上下方向直線状態で前記下ベース材の左右両端縁部から立設するようにして設けられる左右の縦ベース材とで凵字形に構成される欄間用ベース材を備え、
前記板材は、左右の縦ベース材に組込まれた上下方向に長い押し縁基材に形成される組込み凹溝と、下ベース材に組込まれた左右方向に長いレール材に形成される組込み凹溝と、天井面に取付けられた左右方向に長いレール材に形成される組込み凹溝とにそれぞれ組込まれることにより四周が支持されていることを特徴とするトイレブースにおける欄間構造。
【請求項２】
エッジ材のドアパネル体上端部位までの長さは、ドアパネル体の開閉をするためドアパネル体の上端部に設けられるヒンジ金具までの長さであることを特徴とする請求項１記載のトイレブースにおける欄間構造。
【請求項３】
縦ベース材と下ベース材は同部材で形成されていることを特徴とする請求項１または２記載のトイレブースにおける欄間構造。
【請求項４】
ドアパネル体と正面パネル体とはパネル厚が同じであり、縦ベース材と下ベース材はこれらパネル体の厚さと同幅に設定されていることを特徴とする請求項１乃至３の何れか１記載のトイレブースにおける欄間構造。
【発明の詳細な説明】
【技術分野】
【０００１】
本発明は、駅舎や学校等に設けられるトイレブースにおける欄間構造の技術分野に関するものである。
【背景技術】
【０００２】
今日、トイレブースの仕切り部位をパネル体で仕切ることがあるが、このようなパネル体のうち、出入口を挟むようにして両側に設けられる正面パネル体は天井部まで至るように構成される一方、出入口の開閉をするドアパネル体は天井部にまでは至らない構成とし、そしてドアパネル体の上端縁から天井部までのあいだを欄間とし、この欄間スペースを開放したままにして閉塞感の無いようにしている。ところがこの欄間が開放したままであると、欄間から覗き見されたり盗撮されたりする等の防犯上の問題があり、そこでこの欄間にガラス板のような板材を組込んで塞ぐことが試みられている（例えば特許文献１参照）。
【先行技術文献】
【特許文献】
【０００３】
【特許文献１】特開２０１５−３４４１９号公報
【発明の概要】
【発明が解決しようとする課題】
【０００４】
ところが前記従来のものは、正面パネル体の端縁に設けられるエッジ材を、正面パネル体端縁に固定される内エッジの凹溝に外エッジを嵌合組込みする構成にし、この内エッジを天井部までに至る長いものとし、そして内エッジの欄間に該当する部位の凹溝に、板材取付け用の補助エッジを組込むようにしていた。ところがこのようなエッジ材とした場合、内エッジと外エッジとが別部材となった状態で目視され、一体性が損なわれるという問題がある。そこでエッジ材を、内エッジを外エッジで覆う構造として内エッジが目視できないものとしてエッジ材に一体感を持たせるようにしたものが提唱される。しかしながらこのようにした場合、内エッジは、外エッジを嵌合するための凹溝が無い構造のものとなり、この結果、板材を取付けるための補助エッジを取付けることができないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、隣接する便器同士を仕切る仕切りパネル体と、仕切りパネル体の先端に設けられる正面パネル体と、隣接する正面パネル体間の出入り口の開閉をするドアパネル体とを備えて構成されるトイレブースにおいて、天井面と、該天井面にまで至る前記正面パネル体の縦端縁と、ドアパネル体の上端縁とのあいだに形成される欄間に板材を組込むにあたり、正面パネル体とドアパネル体との互いに対向する縦端縁同士のあいだに設けられるエッジ材は、上端縁がドアパネル体の上端部位までの長さとして、欄間部位の高さにまで至るエッジ材はないものとし、欄間は、左右両端縁部がこれらエッジ材の上端縁に対して上側から当接する下ベース材と、該欄間に隣接する部位の正面パネル体の縦端縁に配され、正面パネル体側の縦端縁がエッジ材の正面パネル体側の縦端縁に対して上下方向直線状態で前記下ベース材の左右両端縁部から立設するようにして設けられる左右の縦ベース材とで凵字形に構成される欄間用ベース材を備え、前記板材は、左右の縦ベース材に組込まれた上下方向に長い押し縁基材に形成される組込み凹溝と、下ベース材に組込まれた左右方向に長いレール材に形成される組込み凹溝と、天井面に取付けられた左右方向に長いレール材に形成される組込み凹溝とにそれぞれ組込まれることにより四周が支持されていることを特徴とするトイレブースにおける欄間構造である。
請求項２の発明は、エッジ材のドアパネル体上端部位までの長さは、ドアパネル体の開閉をするためドアパネル体の上端部に設けられるヒンジ金具までの長さであることを特徴とする請求項１記載のトイレブースにおける欄間構造である。
請求項３の発明は、縦ベース材と下ベース材は同部材で形成されていることを特徴とする請求項１または２記載のトイレブースにおける欄間構造である。
請求項４の発明は、ドアパネル体と正面パネル体とはパネル厚が同じであり、縦ベース材と下ベース材はこれらパネル体の厚さと同幅に設定されていることを特徴とする請求項１乃至３の何れか１記載のトイレブースにおける欄間構造である。
【発明の効果】
【０００６】
請求項１の発明とすることにより、正面パネル体に設けるエッジ材に凹溝がないものであっても、板材を、専用の下ベース材、縦ベース材を用いて簡単に取付けることができると共に、板材が組込まれた欄間は、欄間として独立したものと意識させることができ、外観性が向上する。
請求項２の発明とすることにより、ドアパネル体と欄間とが独立したものとなって外観性が向上する。
請求項３の発明とすることにより、縦ベース材と下ベース材とが一体性を持つことになって欄間としての纏まりが図れ、一体感が高くなる。
請求項４の発明とすることにより、エッジ材との統一性が図れ、外観性が向上する。
【図面の簡単な説明】
【０００７】
【図１】トイレブースの正面図である。
【図２】トイレブースの平面図である。
【図３】トイレブースの拡大部分水平断面図である。
【図４】欄間にガラス板を組付けた状態の正面図である。
【図５】欄間にガラス板を組付けた状態の水平断面図である。
【図６】欄間にガラス板を組付けた状態の吊元部位側の要部水平断面図である。
【図７】欄間にガラス板を組付けた状態の縦断面図である。
【図８】欄間にガラス板を組付けた状態の吊元部位側の縦断面図である。
【発明を実施するための形態】
【０００８】
以下、本発明の実施の形態について、図面に基づいて説明する。図面において、１はトイレブースであって、該トイレブース１は、Ｔ字形に組付けられる仕切りパネル体２および正面パネル体３と、隣接する正面パネル体３間に形成される出入り口Ａの開閉をするドアパネル体４を用いて構成されている。そしてドアパネル体４は、図１、２に示す正面図および平面図において、説明上、中央部と右側のものが内開きに構成され、左側のものが外開きに構成されているが、これに限定されるものではなく、全て内開き、外開きとすることができることは勿論であり、またこれらを適宜組合わせたものとしても構成することができる。
さらに正面パネル体３は床面Ｆとのあいだに隙間があるが上端部は天井面Ｈまで至るようになっている。またドアパネル体４は、天井面Ｈとのあいだに欄間Ｒがスペースとして形成されるようになっているが、欄間Ｒは、本実施の形態では、正面視において左側のものが空間になったオープン仕様（汎用仕様）、中央部のものがドアパネル体と同じ厚さの欄間パネル体５が取付けられたパネル仕様、右側のものがガラス板６等の板材（板材としては、アクリル樹脂等の樹脂材、アルミニウム等の金属材、木材等が例示される。）が嵌め込まれた板材仕様になっており、この板材仕様に本発明が実施されている。
【０００９】
まず、正面パネル体３とドアパネル体４との互いに対向する端縁にそれぞれエッジ材７、８、９、１０が取付けられているが、ドアパネル体４の吊元側ヒンジ金具３ａが取付けられるエッジ材１０以外のエッジ材７、８、９は、共通する形状の内エッジ７ａ、８ａ、９ａに、形状が異なる外エッジ７ｂ、８ｂ、９ｂを外側から被せる状態で無理嵌め嵌合して組付けている。一方、正面パネル体の吊元側エッジ材１０は、幅方向（出入り方向）両側部にフォロー部１０ａが形成され、中央部位が凹溝１０ｂとなっているが、これらエッジ材のうち、正面パネル体３に設けられるエッジ材８、１０の上端部は何れもドアパネル体４の上端部位までの長さであり、具体的には、ドアパネル体４の上端部を開閉自在に支持するべくエッジ材１０に取付けられるヒンジ金具３ａまでの長さ（高さ）であって、これ以上についてはエッジ材８、１０は存在しないものとなっていて、欄間専用の組込み構成になっているが、以下、本発明が実施されたガラス板６が嵌め込まれる構成について詳述する。
【００１０】
１１は欄間Ｒの左右端縁および下端縁の各内面に設けられる欄間用のベース材であって、該ベース材１１は平板状の本体１１ａと、該本体１１ａの幅方向両端位置よりも中央寄りに位置して内側に凹溝１１ｂを形成すべく欄間内側に向けて突出した一対の脚片１１ｃとにより構成されているが、脚片１１ｃの互いに対向する内側面には係止凹溝１１ｄが形成されている。そして該ベース材１１は、左右端縁のもの（縦ベース材）は正面パネル体３の左右縦端縁に当てがわれ、下端縁のもの（下ベース材）は、図４から明らかなように、左右両端縁部がエッジ材８、１０の上端縁に上側から当接するように配され、さらに前記下ベース材１１は、図４から明らかなように、欄間に隣接する部位の正面パネル体３の縦端縁に配され、かつ前記縦ベース材１１は、正面パネル体３側の縦端縁がエッジ材８、１０の正面パネル体３側の縦端縁に対して上下方向直線状態で立設される構成になっているが、何れも同形状のものが採用されている。そしてこれらベース材１１は、左右のコーナー部において４５度カットされたもの同士を突き合わせた構造になっている。
【００１１】
一方、１２は前記ベース材１１の凹溝１１ｂに抜止め状に組込まれる押し縁基材であって、該押し縁基材１２は、ベース材本体１１ａに突き当てられる本体１２ａと、該本体１２ａの幅方向両端から欄間内側に向けて突出する一対の内側脚片１２ｂと、該内側脚片１２ｂの突出端から幅方向外側に向けて突出する内片１２ｃと、該内片１２ｃの突出端から内側脚片１２ｂと平行状に突出する一対の外側脚片１２ｄとを備えて構成されるが、外側脚片１２ｄは、ベース材１１の脚片１１ｃ間に丁度内嵌する寸法設定になっており、外側脚片１２ｄをベース材脚片１１ｃに内嵌した状態でベース材係止凹溝１１ｄに係合する係合凸部１２ｅが設けられている。
さらに内側脚片１２ｂの突出先端には、互いに対向する側に向けて第二の係合凸部１２ｆが形成されている。そして押し縁基材１２には、一対の内側脚片１２ｂと本体１２ａとにより、後述する第一、第二押し縁１３、１４を係合組み込みするための組込み凹溝１２ｇが形成されているが、これらベース材１１および押し縁基材１２は、ビス１９を介して正面パネル材３の端縁に固定されている。
【００１２】
ガラス体６の左右両側部は、押し縁基材１２に係合される第一押し縁１３と、該第一押し縁１３に係合される第二押し縁１４によって支持されるが、第一押し縁１３は、平板状の本体１３ａと、該本体１３ａの一端縁から左右方向両側に延出し、一端縁が押し縁基材内片１２ｃに当接し、他端縁がガラス板６に間隙を存して対向する脚片１３ｂと、該脚片１３ｂの一端から本体１３ａと平行状になるよう折曲したものがさらに前記第二係合凸部１２ｆの先端に沿うよう折曲する第一の折曲片１３ｃと、前記第二係合凸部１２ｆに係合するよう折曲片１３ｃの先端に形成される本体１３ａの一端に形成される第一係合凸部１３ｄと、脚片１３ｂの他端からガラス板６側に折曲したものが、さらにガラス板６と間隔を存する状態で脚片１３ｂに対して平行状に折曲する第二折曲片１３ｅと、本体１３ａの幅方向中央位置から押し縁基材１２の本体１２ａ側に向けて延出されたものが、さらに本体１３ａと間隔を存する状態で脚片１３ｂとは反対側に向けて折曲された第三折曲片１３ｆと、押し縁基材１２の第二係合凸部１２ｆに係合する係止凹溝１３ｇと、本体１３ａの他端において係止凹溝１３ｇ側に向けて突出する第二係合凸部１３ｈとを備えて構成されている。
【００１３】
一方、第二押し縁１４は、ガラス板６と平行状に形成され、一端が押し縁基材１２の内片１２ｃに当接する本体１４ａと、該本体１４ａの他端から第一押し縁１３の第二折曲片１３ｅと対称状に折曲形成される折曲片１４ｂと、本体１４ａの一端側部位から第一押し縁本体１３ａの他端部と第一押し縁１３の第三折曲片１３ｆとのあいだに嵌入する嵌入片１４ｃと、該嵌入片１４ｃの先端に第一押し縁１３の第二係合凸部１３ｈに係合する係合凸部１４ｄとを備えて構成されている。尚、図中、１５はガラス板６と第一、第二押し縁１３、１４のあいだに設けられるバックアップ材である。
【００１４】
一方、ガラス板６の上下端縁は、凵字形をした外レール材１６に嵌入組込みした内レール材１７に、前記第一、第二押し縁１３、１４が組込まれることでガラス板６を保持することになるが、下側の外レール材１６は、ベース材１１の凹溝１１ｂに嵌入組込みされている。
前記内レール１７は、外レール１６の脚片１６ａの内側に嵌入する脚片１７ａと、該脚片１７ａの端縁部同士を連結する跨部１７ｂとにより構成されているが、該跨部１７ｂには押し縁基材１２の組込み凹溝１２ｇと同形状をした組込み凹溝１７ｃが形成され、これにより同様にしてガラス板６を挟んだ状態の第一、第二押し縁１３、１４を組込むことができるようになっている。
尚、押し縁基材１２の組込み凹溝１２ｇと下側の内レール１７の組込み凹溝１７ｃの直角状のコーナー部にはＬ字形をした補強金具１８が組込まれ、ビス１９により固定されている。
【００１５】
叙述の如く構成された本発明の実施の形態において、正面パネル体３側のエッジ材８、１０の幅は正面パネル体３の厚さと同寸法となっているが、その高さ（長さ）は、何れもドアパネル体４の上端部を開閉自在に吊り持ちするためのヒンジ金具３ａまでとなっており、そして欄間Ｒ部位では、左右両端縁および下端縁のベース材１１は、形状は同じであるが専用のものが採用され、しかも左右の縦ベース材１１の凹溝１１ｂには押縁基材１２が嵌入組込みされビス１９により正面パネル体３の端縁に固定されている。そしてこの押し縁基材１２に形成されている組込み凹溝１２ｇに、ガラス板６の左右両端縁を支持する第一、第二押し縁１３、１４が抜止め状に嵌合組込みされている。
一方、下ベース材１１の凹溝１１ｂには外レール材１６が組込まれるが、該外レール１６に嵌入組込みされた内レール材１７の組込み凹溝１７ｃに組込まれた第一、第二押し縁１３、１４でガラス板６の下端縁を支持し、さらに天井面Ｈにビス１９を介して固定された外レール１６に嵌入した内レール材１７の組込み凹溝１７ｃに第一、第二押し縁１３、１４を組込んでガラス板６の上端縁の支持をすることになる。
この結果、正面パネル体３に取付けられるエッジ材８、１０に、第一、第二押し縁１３、１４を組込むスペースや機能がないものであっても、欄間Ｒにガラス板６を組込むことができ、そして欄間Ｒに組込まれるガラス板６は、左右側および下側のベース材１１によって仕切られた（区切られた）一つの欄間スペースとして把握されることになって一体感が発揮され、外観に優れたものとなる。
【００１６】
しかもこのようにガラス板６が組込まれた欄間Ｒにおいて、正面パネル体３側に取付けられるエッジ材８、１０はドアパネル体４の上端部までであって、その上側は、縦ベース材１１と下ベース材１１とで分断されたものとなり、しかもこれらベース材１１は、同じ形状のものを採用している結果、欄間Ｒが一つの纏まった領域として認識されることになって、外観の優れたものとなる。
そのうえベース材１１の幅は、正面パネル体３のパネル厚と同じものを採用しているため、統一性がとれ、外観を損なうことがない。
【００１７】
尚、本発明は前記実施の形態に限定されないものであることは勿論であって、ベース材を天井面に取付け、四方がベース材で囲撓された欄間とすることもできる。
【産業上の利用可能性】
【００１８】
本発明は、トイレブースにおける欄間構造として利用することができる。
【符号の説明】
【００１９】
１  トイレブース
３  正面パネル体
３ａ  ヒンジ金具
４  ドアパネル体
６  ガラス板
８  エッジ材
１０  エッジ材
１１  ベース材
１１ｂ  凹溝
１２  押し縁基材
１２ｇ  組込み凹溝
１３  第一押し縁
１４  第二押し縁
１６  外レール材
１７  内レール材
１７ｃ  組込み凹溝
Ｈ天井面
Ｒ欄間
【図１】
0006735125.tif 000002
【図２】
0006735125.tif 000003
【図３】
0006735125.tif 000004
【図４】
0006735125.tif 000005
【図５】
0006735125.tif 000006
【図６】
0006735125.tif 000007
【図７】
0006735125.tif 000008
【図８】
0006735125.tif 000009